(57)【要約】【課題】壁部５に設置される灯具１を壁部５に布設される電力ケーブル（分岐線３）にコネクタ４を介して接続した構造において、万一、灯具１が壁部５から外れても地面への落下を回避可能とする。【解決手段】コネクタ４は、雄端子２１を有する第１部材２０と、雄端子２１に合致嵌合して電気的に接続される雌端子３１を有する第２部材３０とを対とする構成である。第１部材２０は灯具１に取り付けられており、また、第２部材３０は電力ケーブル（幹線２）に取り付けられている。灯具１と電力ケーブル（幹線２）とに、灯具１の重量を支えるだけの耐荷重能力を備える紐状体（ワイヤ６）が架け渡されている。【選択図】図１
2015069765.tif 000002
【特許請求の範囲】
【請求項１】
壁部に設置される灯具を前記壁部に布設される電力ケーブルにコネクタを介して接続した構造であって、
前記コネクタは、雄端子を有する第１部材と、前記雄端子に電気的に接続される雌端子を有する第２部材とを対とする構成であり、
前記第１、第２部材のうち、いずれか一方が前記灯具に取り付けられており、また、残り他方が前記電力ケーブルに取り付けられており、
前記灯具と前記電力ケーブルとに、前記灯具の重量を支えるだけの耐荷重能力を備える紐状体が架け渡されている、ことを特徴とする灯具設置構造。
【請求項２】
請求項１に記載の灯具設置構造において、
前記紐状体は、前記灯具と前記電力ケーブルとに弛まない状態で架け渡されている、ことを特徴とする灯具設置構造。
【請求項３】
請求項１または２に記載の灯具設置構造において、
前記灯具には、前記紐状体の一端側が引っ掛けられる係止部が設けられており、
前記紐状体の他端側は、前記電力ケーブル内に内部配線と共に挿入されて、当該電力ケーブルにおいて前記壁部への設置部分寄り領域に締結されており、
前記係止部および当該係止部に対する前記紐状体の引っ掛け部分は、前記灯具の重量を支えるだけの耐荷重能力を備えたものとされている、ことを特徴とする灯具設置構造。
【請求項４】
請求項１または２に記載の灯具設置構造において、
前記灯具には、前記紐状体の一端側が引っ掛けられる係止部が設けられており、
前記紐状体の他端側は、前記電力ケーブルにおいて当該電力ケーブルの取り付け対象となる部材寄りの領域の外周に取り付けられており、
前記係止部および当該係止部に対する前記紐状体の取り付け部分は、前記灯具の重量を支えるだけの耐荷重能力を備えたものとされている、ことを特徴とする灯具設置構造。
【発明の詳細な説明】
【技術分野】
【０００１】
本発明は、壁部に設置される灯具を壁部に布設される電力ケーブルにコネクタを介して接続した構造に関する。
【背景技術】
【０００２】
例えばトンネル内などにおいて、壁部には灯具が道路の長手方向所定間隔おきに設置されている。この多数の灯具には、壁部に道路の長手方向に沿って布設される電力ケーブルの幹線から分岐される分岐線が接続されることによって電力が供給されるようになっている。
【０００３】
前記灯具と前記分岐線とはコネクタを介して接続されている。このコネクタは、雄端子を有するプラグと、雌端子を有するレセプタクルとを対とするものであって、プラグまたはレセプタクルのいずれか一方が前記灯具の配線に、また、残り他方が前記分岐線にそれぞれ接続される（特許文献１参照）。
【先行技術文献】
【特許文献】
【０００４】
【特許文献１】特開２００３−３４６９７０号公報
【発明の概要】
【発明が解決しようとする課題】
【０００５】
上記特許文献１に係る従来例では、仮に前記灯具が前記壁部から外れたときに、前記灯具の重量が前記コネクタに作用する。このとき、前記灯具が重い場合には、前記プラグと前記レセプタクルとの接続が外れて、前記灯具が道路上に落下するおそれがある。
【０００６】
このような事情に鑑み、本発明は、壁部に設置される灯具を壁部に布設される電力ケーブルにコネクタを介して接続した構造において、万一、前記灯具が前記壁部から外れても地面への落下を回避可能とすることを目的としている。
【課題を解決するための手段】
【０００７】
本発明は、壁部に設置される灯具を前記壁部に布設される電力ケーブルにコネクタを介して接続した構造であって、前記コネクタは、雄端子を有する第１部材と、前記雄端子に電気的に接続される雌端子を有する第２部材とを対とする構成であり、前記第１、第２部材のうち、いずれか一方が前記灯具に取り付けられており、また、残り他方が前記電力ケーブルに取り付けられており、前記灯具と前記電力ケーブルとに、前記灯具の重量を支えるだけの耐荷重能力を備える紐状体が架け渡されている、ことを特徴としている。
【０００８】
この構成では、前記第１部材と前記第２部材とを接続した状態において、仮に前記灯具が前記壁部から外れることに起因して前記灯具の重量が前記紐状体に作用したときに、前記灯具が前記紐状体に吊り下がった状態で支えられることになる。これにより、万一、前記灯具が前記壁部から外れたとしても、当該灯具が地面に落下せずに済むようになる。
【０００９】
好ましくは、前記紐状体は、前記灯具と前記電力ケーブルとに弛まない状態で架け渡されたものとすることができる。
【００１０】
この構成では、前記灯具の重量が前記紐状体に作用した場合に、前記第１部材と前記第２部材との接続が外れずに済むようになる。これにより、前記灯具を例えば点灯したままの状態を保つことが可能になる。
【００１１】
好ましくは、前記灯具には、前記紐状体の一端側が引っ掛けられる係止部が設けられており、前記紐状体の他端側は、前記電力ケーブル内に内部配線と共に挿入されて、当該電力ケーブルにおいて前記壁部への設置部分寄り領域に締結されており、前記係止部および当該係止部に対する前記紐状体の引っ掛け部分は、前記灯具の重量を支えるだけの耐荷重能力を備えたものとされたものとすることができる。
【００１２】
この構成では、前記紐状体が前記電力ケーブルの補強用芯材となるので、当該電力ケーブルの強度が向上する。これにより、前記電力ケーブルの強度が向上するとともに、前記紐状体に前記灯具の重量が作用したときに、当該紐状体が前記電力ケーブルから分離しにくくなるので、前記紐状体および前記電力ケーブルによる前記灯具の支持強度を高めることが可能になる。
【００１３】
好ましくは、前記灯具には、前記紐状体の一端側が引っ掛けられる係止部が設けられており、前記紐状体の他端側は、前記電力ケーブルにおいて当該電力ケーブルの取り付け対象となる部材寄りの領域の外周に取り付けられており、前記係止部および当該係止部に対する前記紐状体の取り付け部分は、前記灯具の重量を支えるだけの耐荷重能力を備えたものとされたものとすることができる。
【００１４】
この構成では、前記紐状体を前記電力ケーブルに外付けしているから、前記コネクタや電力ケーブルを既存品を使用することが可能になるので、設備コストの上昇を抑制することが可能になるとともに、既設の灯具や電力ケーブルに前記紐状体を簡単に後付けすることが可能になる。
【発明の効果】
【００１５】
本発明は、壁部に設置される灯具を壁部に布設される電力ケーブルにコネクタを介して接続した構造において、万一、前記灯具が前記壁部から外れても地面への落下を回避することが可能になる。
【図面の簡単な説明】
【００１６】
【図１】本発明に係る灯具設置構造の一実施形態で、その全体の外観を示す正面図である。
【図２】図１の第１部材と第２部材とを分離した状態を示す図である。
【図３】図２の第１部材および第２部材の断面を示す図である。
【図４】図２および図３の電力ケーブルの分岐線を示す部分正面図である。
【図５】図４の（５）−（５）線断面の矢視図である。
【図６】図１の灯具の設置形態を模式的に示す図である。
【図７】図６の（７）−（７）線断面の矢視図である。
【図８】本発明に係る灯具設置構造の他実施形態で、図１に対応する図である。
【図９】図８の（９）−（９）線断面の矢視図である。
【図１０】本発明に係る灯具設置構造の他実施形態で、図１に対応する図である。
【図１１】図１０の固定具を拡大して示す斜視図である。
【図１２】本発明に係る灯具設置構造においてワイヤを係止部に引っ掛ける形態の他例を示す図である。
【発明を実施するための形態】
【００１７】
以下、本発明を実施するための最良の実施形態について添付図面を参照して詳細に説明する。
【００１８】
図１から図７に、本発明の一実施形態を示している。図中、１は灯具、２は電力ケーブルの幹線、３は電力ケーブルの分岐線、４はコネクタである。
【００１９】
灯具１は、適宜の壁部５に設置される。この灯具１には、壁部５に布設される電力ケーブルの幹線２が分岐線３およびコネクタ４を介して接続されている。
【００２０】
コネクタ４は、第１部材２０と、第２部材３０とを対とする構成である。第１部材２０は雄端子２１を有し、また、第２部材３０は雌端子３１を有し、第１部材２０の雄端子２１と第２部材３０の雌端子３１とが合致嵌合されることによって電気的に接続されるようになっている。
【００２１】
次に、図２および図３を参照して、第１、第２部材２０，３０の構成を詳細に説明する。
【００２２】
第１部材２０は、「レセプタクル」と呼ばれるものであって、灯具１のケース１ａの１辺の内外に貫通する状態で取り付けられる。この第１部材２０は、ボディ２２、中子２３、締め付けリング２４を備えている。
【００２３】
ボディ２２と中子２３とは、素材が異種とされていて、それらは例えばインサート成形などにより一体に形成されている。なお、これらは、同一素材で形成することが可能であり、また、一体物として形成することも可能である。
【００２４】
中子２３は、複数の雄端子２１が取り付けられるものであって、灯具１のケース１ａの外側に突出する外側領域２３ａと、灯具１のケース１ａの内側に突出する内側領域２３ｂと、外側領域２３ａと内側領域２３ｂとの間に設けられる中間領域２３ｃとを有している。
【００２５】
この中子２３の内側領域２３ｂおよび中間領域２３ｃには、複数の雄端子２１が個別に収納される貫通孔（符号省略）が設けられている。当該各貫通孔内で複数の雄端子２１に灯具１の複数の配線１ｂがそれぞれ対応して電気的に接続されている。
【００２６】
ボディ２２は、中子２３の外側領域２３ａおよび中間領域２３ｃの外径側に一体に結合されている。このボディ２２は、筒部２２ａと、筒部２２ａの軸方向一端側に設けられる径方向外向きの２段鍔部２２ｂとを有している。
【００２７】
締め付けリング２４は、第１部材２０を灯具１のケース１ａに固定するために用いられるものである。この締め付けリング２４は、中子２３の内側領域２３ｂの外周に螺合されることで、この締め付けリング２４とボディ２２の２段鍔部２２ｂの大径部分とでケース１ａの１辺を挟むことにより第１部材２０を灯具１のケース１ａに固定するようになっている。
【００２８】
第２部材３０は、例えば「プラグ」と呼ばれるものであって、電力ケーブルの分岐線３の先端に取り付けられる。この第２部材３０は、ボディ３２、ハウジング３３、防水キャップ３４、ロックキャップ３５を備えている。
【００２９】
ボディ３２内に固定されるハウジング３３には、複数の雌端子３１が個別に収納される貫通孔（符号省略）が設けられている。当該各貫通孔内で複数の雌端子３１に分岐線３の複数の内部配線３ｂがそれぞれ対応して電気的に接続されている。
【００３０】
ボディ３２は、外径が一方向に大、中、小と段階的に縮径された円筒部材からなる。このボディ３２の大径部３２ａの中心部分には、軸方向中央へ向けて凹む凹部３２ｄが設けられていて、この凹部３２ｄ内にハウジング３３が嵌合固定されるようになっている。ボディ３２の小径部３２ｂの中心部分にも、軸方向中央へ向けて凹む凹部３２ｅが設けられていて、この凹部３２ｅ内に分岐線３の先端が合致嵌合された状態で固定されるようになっている。ボディ３２の中径部３２ｃには、分岐線３の内部配線３ｂが個別に挿通される貫通孔（符号省略）が設けられている。
【００３１】
ハウジング３３は、複数の雌端子３１が取り付けられるものであって、複数の雌端子３１が個別に取り付けられる貫通孔（符号省略）が設けられている。このハウジング３３の各貫通孔内で複数の雌端子３１に分岐線３の複数の内部配線３ｂがそれぞれ対応して電気的に接続される。そして、ハウジング３３の外形は、第１部材２０の中子２３の外側領域２３ａ内に合致して嵌め入れられるような形状とされている。
【００３２】
防水キャップ３４は、電力ケーブルの分岐線３が挿通されるもので、外形が異形の円筒部材とされている。この防水キャップ３４は、ボディ３２の小径部３２ｂおよび中径部３２ｃの外径側に嵌合装着されることによってハウジング３３の雌端子３１と分岐線３の内部配線３ｂとの接続部分を外部から覆い隠すようになっている。
【００３３】
ロックキャップ３５は、第２部材３０を第１部材２０に連結するために用いられるものである。このロックキャップ３５は、ボディ３２の大径部３２ａの外径側に軸方向ならびに円周方向に相対変位可能に取り付けられていて、第１部材２０のボディ２２の２段鍔部２２ｂの小径部外周に係合されることにより第２部材３０を第１部材２０に連結する。
【００３４】
この係合の方法としては、ロックキャップ３５の内周面の円周数ヶ所（例えば２ヶ所）に設けられる突起３５ａを、２段鍔部２２ｂの小径部外周面の円周数ヶ所（例えば２ヶ所）に設けられるロック溝２２ｄに係入させる形態とされる。
【００３５】
つまり、ロックキャップ３５の突起３５ａをロック溝２２ｄの入口に位置合わせしておいて、ロックキャップ３５を２段鍔部２２ｂの小径部外周に軸方向から嵌め入れてから、ロックキャップ３５を所定方向に所定角度回転させるように操作することで、第１部材２０と第２部材３０とが連結された状態で非分離にロックされる。
【００３６】
そして、第１部材２０と第２部材３０とを分離するときには、ロックキャップ３５をロック時と逆向きに回転させてから、軸方向に引き抜くように操作すればよい。
【００３７】
ところで、前記突起３５ａとロック溝２２ｄの入口との位置合わせは、ロックキャップ３５と第１部材２０のボディ２２の２段鍔部２２ｂの大径部分とに設けられる位置合わせマーク３５ｂ，２２ｅにより目視にて簡単に行えるようになっている。
【００３８】
この実施形態では、万一、灯具１が壁部５から外れたときに、当該灯具１が地面に落下することを回避するように工夫している。
【００３９】
要するに、灯具１と電力ケーブルの幹線２とにワイヤ（紐状体）６を架け渡すようにして、灯具１が壁部５から外れたときに、当該灯具１をワイヤ６を介して幹線２に吊り下げる状態で支えるようにしている。
【００４０】
具体的に、灯具１には、ワイヤ６の一端側を引っ掛けるための係止部７が設けられている。この係止部７は、ループ状のフックとされている。この係止部７のループ内にワイヤ６の一端側を通してから折り返してワイヤ６の途中部分所定位置に寄り添わせ、そこを適宜の加締め具８で加締めるようにしている。
【００４１】
また、ワイヤ６の他端側は、第２部材３０の内部に挿入されているとともに、電力ケーブルの分岐線３にその外皮３ａ内に内部配線３ｂと共に挿入されて、さらに電力ケーブルの幹線２に適宜の加締め具９で加締められている。これにより、ワイヤ６が第２部材３０および電力ケーブルの分岐線３と一体化されている。
【００４２】
ワイヤ６、係止部７ならびにワイヤ６において係止部７に対する引っ掛け部分は、灯具１の重量を支えるだけの耐荷重能力を備えるものとされる。ちなみに、この補強体６の耐荷重能力としては、灯具１の重量などに応じて適宜設定すればよいのであるが、灯具１の重量を例えば４０ｋｇとする場合には、それが落下するときの衝撃荷重が約５００ｋｇになるので、補強体６の耐荷重能力については例えば破断強度で約５００ｋｇ以上に設定することが好ましい。
【００４３】
具体的に、ワイヤ６は、例えばステンレス鋼などの撚線または単線を芯材６ａとして合成樹脂製の外皮６ｂで覆ったものとされる。そして、このワイヤ６の一端縁（幹線２側の端縁）および他端縁（係止部７側の端縁）は、外皮６ｂあるいはその他の耐水性部材で覆い隠すように処理されることにより芯材６ａと外皮６ｂとの間に水分が入ることを防止する状態にされている。
【００４４】
以上説明したように本発明を適用した実施形態では、灯具１と電力ケーブルの幹線２とにワイヤ（紐状体）６を架け渡したうえで、ワイヤ６、係止部７ならびにワイヤ６において係止部７に対する引っ掛け部分を灯具１の重量を支えるだけの耐荷重能力を備えるものとしているから、第１部材２０と第２部材３０とを接続してワイヤ６を灯具１の係止部７に引っ掛けた状態において、例えば灯具１が壁部５から外れることに起因して灯具１の重量がワイヤ６に作用したときに、当該灯具１がワイヤ６を介して電力ケーブルの幹線２に吊り下がる状態になって支えられることになる。これにより、万一、灯具１が壁部５から外れたとしても、当該灯具１が地面に落下せずに済むようになる。
【００４５】
しかも、上記実施形態では、ワイヤ６を電力ケーブルの分岐線３の外皮３ａ内に内部配線３ｂと共に挿入して電力ケーブルの幹線２に締結しているので、ワイヤ６が分岐線３そのものの補強用芯材となる。これにより、分岐線３の強度が向上するとともに、ワイヤ６に灯具１の重量が作用したときに、当該ワイヤ６が分岐線３および幹線２から分離しにくくなるので、ワイヤ６および電力ケーブルによる灯具１の支持強度を高めることが可能になる。
【００４６】
ところで、この実施形態において、ワイヤ６を灯具１側の係止部７に引っ掛けた状態で弛まないように当該ワイヤ６の長さを設定することが可能である。つまり、ワイヤ６を所定の張力を持つような状態にして弛みの無い状態にした場合には、前記のように灯具１の重量がワイヤ６に作用した場合に、第１部材２０と第２部材３０とが分離せずに済むようになるので、灯具１を例えば点灯したままの状態を保つことが可能になる。
【００４７】
ちなみに、上述した灯具１の設置場所については、例えば図６および図７に示すように、上記壁部５を道路４１のトンネル４２内の内壁部とすることができる。その場合、万一、灯具１が壁部５から脱落したときでも、この灯具１がワイヤ６にぶら下がることになって、道路４１上に落下することを防止できるようになる。
【００４８】
なお、本発明は、上記実施形態のみに限定されるものではなく、特許請求の範囲内および当該範囲と均等の範囲内で適宜に変更することが可能である。
【００４９】
（１）上記実施形態では、ワイヤ６を電力ケーブルの分岐線３の外皮３ａ内に複数の内部配線３ｂと共に挿入した例を挙げているが、本発明はこれのみに限定されるものではない。
【００５０】
例えば図８および図９に示すように、ワイヤ６を電力ケーブルの分岐線３において第２部材３０寄りに締結することが可能である。具体的に、図９に示すように、ワイヤ６を電力ケーブルの分岐線３の外周に巻き付けてからワイヤ６の途中部分所定位置に寄り添わせ、そこを適宜の加締め具１０で加締めるとともに、当該加締め部分を適宜の保護材１１で覆い隠すようにする。
【００５１】
このようにした場合、第２部材３０については、既存品そのままを使用することが可能になるので、設備コストの上昇を抑制することが可能になるとともに、既設の灯具１および電力ケーブルにワイヤ６を簡単に後付けすることが可能になる。
【００５２】
（２）上記実施形態では、ワイヤ６を電力ケーブルの分岐線３の外皮３ａ内に複数の内部配線３ｂと共に挿入した例を挙げているが、本発明はこれのみに限定されるものではない。
【００５３】
例えば図１０および図１１に示すように、ワイヤ６を電力ケーブルの分岐線３において第２部材３０寄りに取り付けることが可能である。具体的に、図１０に示すように、ワイヤ６を電力ケーブルの分岐線３の外周に固定具１２を取り付け、当該固定具１２の両端の重ね合わせ部分をボルト１３およびナット１４で締結するようにする。
【００５４】
このようにした場合、第２部材３０については、既存品そのままを使用することが可能になるので、設備コストの上昇を抑制することが可能になるとともに、既設の灯具１および電力ケーブルにワイヤ６を簡単に後付けすることが可能になる。
【００５５】
（３）上記実施形態では、ワイヤ６について芯材６ａに外皮６ｂを覆い被せた例を挙げているが、本発明はこれのみに限定されるものではなく、例えば図示していないが、外皮６ｂを無くしたタイプを用いることが可能である。
【００５６】
（４）上記実施形態では、ワイヤ６の自由端を係止部７のループ内に通して加締め具８で加締めるようにした例を挙げているが、本発明はこれのみに限定されるものではなく、例えば図１２に示すように、ワイヤ６の自由端に高強度な引っ掛け具（例えばカラピナなどと呼ばれるフック）１５を取り付け、この引っ掛け具１５を係止部７に引っ掛けるようにすることが可能である。
【００５７】
（５）上記実施形態で説明した第１、第２部材２０，３０の構成は、特に限定されるものではなく、図示しないがいろいろなタイプを利用することが可能である。
【産業上の利用可能性】
【００５８】
本発明は、壁部５に設置される灯具１を壁部５に布設される電力ケーブルにコネクタ４を介して接続した構造に好適に利用することが可能である。
【符号の説明】
【００５９】
１      灯具
１ａ    灯具のケース
１ｂ    灯具の配線
２      電力ケーブルの幹線
３      電力ケーブルの分岐線
３ａ    分岐線の外皮
３ｂ    分岐線の内部配線
４      コネクタ
５      壁部
６      ワイヤ
６ａ    ワイヤの芯材
６ｂ    ワイヤの外皮
７      係止部
８      加締め具
９      加締め具
２０      第１部材
２１      雄端子
２２      ボディ
２３      中子
３０      第２部材
３１      雌端子
３２      ボディ
【図１】
2015069765.tif 000003
【図２】
2015069765.tif 000004
【図３】
2015069765.tif 000005
【図４】
2015069765.tif 000006
【図５】
2015069765.tif 000007
【図６】
2015069765.tif 000008
【図７】
2015069765.tif 000009
【図８】
2015069765.tif 000010
【図９】
2015069765.tif 000011
【図１０】
2015069765.tif 000012
【図１１】
2015069765.tif 000013
【図１２】
2015069765.tif 000014